【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、払出条件が成立したことにもとづいて遊技媒体を遊技者に払い出す遊技機であって、
遊技の進行を制御する遊技制御処理を実行する遊技制御手段が搭載された遊技制御基板と、
遊技媒体の払い出しを行う払出手段と、
前記払出手段を制御する払出制御処理を実行する払出制御手段が搭載された払出制御基板と、
前記払出手段による遊技媒体の払い出しを検出する払出検出手段と、
前記遊技制御基板のみと接続され、入力した情報を遊技機の外部に出力する１つの情報出力基板と、を備え、
前記遊技制御手段は、遊技制御処理の実行中に発生する制御情報を出力する遊技制御情報出力手段を含み、
前記情報出力基板は、前記遊技制御情報出力手段が出力した制御情報と前記払出検出手段が所定数の遊技媒体の払い出しを検出したことを示す払出情報とを入力し、入力した情報を出力する
ことを特徴とする遊技機。
【請求項２】
払出検出手段が遊技媒体の払い出しを検出したときに出力される検出信号は、払出制御基板に入力され、該払出制御基板から遊技制御基板に入力される
請求項１記載の遊技機。
【請求項３】
各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記特定遊技状態において開放状態に変化可能な特別可変入賞装置と、
前記特別可変入賞装置を含む入賞領域に入賞した遊技媒体を検出して検出信号を出力する入賞検出手段と、を備え、
遊技制御手段は、
前記入賞領域に遊技媒体が入賞したことにもとづく払出条件が成立したことにもとづいて、払い出すべき遊技媒体の数を指定する払出個数コマンドを送信する払出個数コマンド送信手段と、
前記入賞検出手段からの前記検出信号にもとづいて遊技媒体が前記特別可変入賞装置に入賞したか否かを判定する入賞判定手段と、を含み、
払出制御手段は、前記払出個数コマンドの受信にもとづいて、該払出個数コマンドで指定された数の遊技媒体を払い出す払出制御を実行する遊技媒体払出制御手段を含み、
前記遊技制御手段は、前記特定遊技状態以外の遊技状態において前記入賞判定手段が前記特別可変入賞装置に入賞したと判定した場合には、前記払出個数コマンド送信手段による前記払出個数コマンドの送信を禁止するコマンド送信禁止手段を含む
請求項１または請求項２記載の遊技機。
【請求項４】
第１の始動領域に遊技媒体が入賞したことにもとづいて各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記第１の始動領域に遊技媒体が入賞しない閉状態と前記第１の始動領域に遊技媒体が入賞可能な開状態とに変化可能であり、第２の始動領域に遊技媒体が入賞したことにもとづいて当該開状態となる可変入賞装置と、
前記第１の始動領域を含む入賞領域に入賞した遊技媒体を検出して検出信号を出力する入賞検出手段と、を備え、
遊技制御手段は、
前記入賞領域に遊技媒体が入賞したことにもとづく払出条件が成立したことにもとづいて、払い出すべき遊技媒体の数を指定する払出個数コマンドを送信する払出個数コマンド送信手段と、
前記入賞検出手段からの前記検出信号にもとづいて遊技媒体が前記第１の始動領域に入賞したか否かを判定する入賞判定手段と、を含み、
払出制御手段は、前記払出個数コマンドの受信にもとづいて、該払出個数コマンドで指定された数の遊技媒体を払い出す払出制御を実行する遊技媒体払出制御手段を含み、
前記遊技制御手段は、前記可変入賞装置の閉状態において前記入賞判定手段が前記第１の始動領域に入賞したと判定した場合には、前記払出個数コマンド送信手段による前記払出個数コマンドの送信を禁止するコマンド送信禁止手段を含む
請求項１から請求項３のうちのいずれかに記載の遊技機。
【請求項５】
第１の始動領域に遊技媒体が入賞したことにもとづいて各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記第１の始動領域に遊技媒体が入賞しない閉状態と前記第１の始動領域に遊技媒体が入賞可能な開状態とに変化可能であり、第２の始動領域に遊技媒体が入賞したことにもとづいて当該開状態となる可変入賞装置と、
前記第１の始動領域を含む入賞領域に入賞した遊技媒体を検出して検出信号を出力する入賞検出手段と、を備え、
遊技制御手段は、前記入賞検出手段からの前記検出信号にもとづいて遊技媒体が前記第１の始動領域に入賞したか否かを判定する入賞判定手段を含み、
遊技制御情報出力手段は、前記第１の始動領域に遊技媒体が入賞したときに、制御情報として前記第１の始動領域への遊技媒体の入賞を示す始動情報を出力し、識別情報の可変表示の表示結果が導出表示されたときに、前記制御情報として識別情報の可変表示の表示結果が導出表示されたことを示す識別情報確定情報を出力し、
前記遊技制御手段は、前記可変入賞装置の閉状態において前記入賞判定手段が前記第１の始動領域に入賞したと判定した場合には、前記可変表示装置における識別情報の可変表示の開始を禁止する可変表示禁止手段を含み、
前記遊技制御情報出力手段は、前記可変表示禁止手段により識別情報の可変表示の開始が禁止されたときは、前記識別情報確定情報を出力するのを禁止する
請求項１から請求項４のうちのいずれかに記載の遊技機。
【請求項６】
遊技制御手段は、払出検出手段が遊技媒体の払い出しを検出したときに出力される検出信号にもとづいて特定される遊技媒体の払出数を計数し、所定数計数する毎に払出情報を情報出力基板に出力する払出情報出力手段を含む
請求項１から請求項５のうちのいずれかに記載の遊技機。
【手続補正２】
【補正対象書類名】明細書
【補正対象項目名】００１０
【補正方法】変更
【補正の内容】
【００１０】
本発明による遊技機は、遊技媒体（例えば、遊技球）を用いて遊技者が所定の遊技を行うことが可能であり、払出条件が成立（例えば、遊技球が入賞口に入賞）したことにもとづいて遊技媒体を遊技者に払い出す遊技機であって、遊技の進行を制御する遊技制御処理を実行する遊技制御手段（例えば、遊技制御用マイクロコンピュータ５６０）が搭載された遊技制御基板（例えば、主基板３１）と、遊技媒体の払い出しを行う払出手段（例えば、球払出装置９７）と、払出手段を制御する払出制御処理を実行する払出制御手段（例えば、払出制御用マイクロコンピュータ３７０）が搭載された払出制御基板（例えば、払出制御基板３７）と、払出手段による遊技媒体の払い出しを検出する払出検出手段（例えば、払出個数カウントスイッチ３０１）と、遊技制御基板のみと接続され、入力した情報を遊技機の外部に出力する１つの情報出力基板（例えば、情報端子盤３４）と、を備え、遊技制御手段は、遊技制御処理の実行中に発生する制御情報（例えば、始動口１信号、始動口２信号、図柄確定回数信号、大当り１信号、大当り２信号、時短信号、確率変動信号、大当り３信号）を出力する遊技制御情報出力手段（例えば、遊技制御用マイクロコンピュータ５６０におけるステップＳ１００１〜Ｓ１０７７，Ｓ１１１０，１１１１を実行する部分）を含み、情報出力基板は、遊技制御情報出力手段が出力した制御情報と払出検出手段が所定数の遊技媒体の払い出しを検出したことを示す払出情報（例えば、賞球信号；実施の形態１ではステップＳ１０８５〜Ｓ１１１１で情報端子盤３４に出力される信号、実施の形態２ではステップＳ５００１〜Ｓ５０２６で出力され主基板３１を経由して情報端子盤３４に出力される信号）とを入力し、入力した情報を出力する（例えば、実施の形態１では遊技制御用マイクロコンピュータ５６０による情報出力処理（ステップＳ１００１〜Ｓ１１１１）にて出力された信号を入力してホールコンピュータに出力し、実施の形態２では遊技制御用マイクロコンピュータ５６０による情報出力処理のうちステップＳ１００１〜Ｓ１０８４，Ｓ１１１０，Ｓ１１１１にて出力された信号と払出制御用マイクロコンピュータ３７０による情報出力処理（ステップＳ５０００〜Ｓ５０２６）にて出力された信号とを入力してホールコンピュータに出力する）ことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項１記載の発明では、遊技の進行を制御する遊技制御処理を実行する遊技制御手段が搭載された遊技制御基板と、遊技媒体の払い出しを行う払出手段と、払出手段を制御する払出制御処理を実行する払出制御手段が搭載された払出制御基板と、払出手段による遊技媒体の払い出しを検出する払出検出手段と、遊技制御基板のみと接続され、入力した情報を遊技機の外部に出力する１つの情報出力基板とを備え、遊技制御手段は、遊技制御処理の実行中に発生する制御情報を出力する遊技制御情報出力手段を含み、情報出力基板は、遊技制御情報出力手段が出力した制御情報と払出検出手段が所定数の遊技媒体の払い出しを検出したことを示す払出情報とを入力し、入力した情報を出力するように構成されているので、情報出力基板に対する配線作業の容易化を実現することができる。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】